(57)【要約】【課題】入力情報の入力終了後の送信動作を容易且つ迅速に行うこと。【解決手段】一覧表示部１０上に入力候補としての文字および記号を含む複数の単位情報１１を一覧表示させ、視線検出部６１は、操作者の視線の位置を検出し、入力部６２は、視線の位置に基づいて所定の単位情報を入力単位情報として入力し、表示制御部６３は、入力単位情報を入力情報表示部２０上に表示させ、表示制御部６３が入力単位情報として改行マーク、句点および署名のうちの１つを表示させたときに、表示制御部６３は送信マークを表示し、この送信マークを用いた視線入力が行われると、通信制御部６４は通信部５０による送信を開始させる。【選択図】図２
2014146117.tif 000002
【特許請求の範囲】
【請求項１】
視線入力機能を備えた文書作成装置であって、
表示手段と、
入力候補としての文字および記号を含む複数の単位情報を前記表示手段に一覧表示させる第１の表示制御手段と、
前記表示手段上の操作者の視線位置を検出する視線検出手段と、
操作者の視線位置に基づいて、一覧表示された前記複数の単位情報から所定の単位情報を入力情報として入力する入力手段と、
前記入力情報を前記表示手段に表示させる第２の表示制御手段と、
前記入力手段によって入力された入力情報を外部に送信する送信手段と、
前記第２の表示制御手段によって前記表示手段に表示された入力情報が改行マークと句点と署名との少なくとも一つであるときに、前記入力情報を前記送信手段に送信させるための送信マークを前記表示手段に表示させる第３の表示制御手段と、
前記視線検出手段によって操作者の視線位置が前記送信マーク上にあることが検出されると、前記送信手段による前記入力情報の送信を開始させる送信制御手段と、を備えることを特徴とする文書作成装置。
【請求項２】
視線入力機能を備えた文書作成装置であって、
表示手段と、
入力候補としての文字および記号を含む複数の単位情報を前記表示手段に一覧表示させる第１の表示制御手段と、
前記表示手段上の操作者の視線位置を検出する視線検出手段と、
操作者の視線位置に基づいて、一覧表示された前記複数の単位情報から所定の単位情報を入力情報として入力する入力手段と、
前記入力情報を前記表示手段に表示させる第２の表示制御手段と、
前記入力手段によって入力された入力情報を保存する保存手段と、
前記第２の表示制御手段によって前記表示手段に表示された入力情報が改行マークと句点との少なくとも一つであるときに、前記入力情報を前記保存手段に保存するための保存マークを前記表示手段に表示させる第３の表示制御手段と、
前記視線検出手段によって操作者の視線位置が前記保存マーク上にあることが検出されると、前記記憶手段への前記入力情報の保存を開始させる制御手段と、を備えることを特徴とする文書作成装置。
【請求項３】
請求項１に記載の文書作成装置において、
前記第３の表示制御手段は、操作者の視線位置が前記送信マーク上にあることが検出され、送信先が確定していない場合は、送信先を決定するための宛名リストを前記表示手段に表示させることを特徴とする文書作成装置。
【請求項４】
請求項１に記載の文書作成装置において、
前記第３の表示制御手段は、前記第２の表示制御手段によって表示されている前記入力情報の末尾に前記送信マークを表示させることを特徴とする文書作成装置。
【請求項５】
請求項２に記載の文書作成装置において、
前記第３の表示制御手段は、前記第２の表示制御手段によって表示されている前記入力情報の末尾に前記保存マークを表示させることを特徴とする文書作成装置。
【請求項６】
請求項１又は２に記載の文書作成装置において、
前記表示手段は、第１の表示部と第２の表示部とを有し、
前記第１の表示制御手段は、前記第１の表示部に前記複数の単位情報を一覧表示させ、
前記第２の表示制御手段は、前記第２の表示部に前記入力情報を表示させることを特徴とする文書作成装置。
【発明の詳細な説明】
【技術分野】
【０００１】
本発明は、視線の位置を検出して文字などの情報を入力する文書作成装置に関する。
【背景技術】
【０００２】
コンピュータなどに平仮名やアルファベットや数字などの文字を入力する場合には、指でキーボードやマウスやタッチパネルなどを操作する入力装置が使用されるが、その他の入力装置として、視線検出器を使用して文字などを入力する視線入力装置が知られている。このような視線入力装置は、ディスプレイに５０音の平仮名や、２６文字のアルファベットなどの文字を一覧表示して、操作者が表示された複数の文字のうちの一つを注視すると、視線検出器が操作者の視線を検出して文字入力が行われる。また、ディスプレイには文字以外の操作を示す制御マーク、例えば入力文字の変換を指示する変換制御マークも常時所定位置に表示され、このようなマークも視線により入力される。（例えば、特許文献１参照）。
【先行技術文献】
【特許文献】
【０００３】
【特許文献１】特開２０１０−２６７０７１号公報
【発明の概要】
【発明が解決しようとする課題】
【０００４】
操作を示す制御マークは入力する文字が決定されたときのみ必要なものである。ところが、上記の視線入力装置では、制御マークがディスプレイの所定位置に常時表示されており、最後の文字入力に続いて制御マークを入力する際に、その制御マークを探して視線を大幅に移動させなければならないという煩わしさがある。
【課題を解決するための手段】
【０００５】
請求項１の発明は、視線入力機能を備えた文書作成装置であって、表示手段と、入力候補としての文字および記号を含む複数の単位情報を前記表示手段に一覧表示させる第１の表示制御手段と、前記表示手段上の操作者の視線位置を検出する視線検出手段と、操作者の視線位置に基づいて、一覧表示された前記複数の単位情報から所定の単位情報を入力情報として入力する入力手段と、前記入力情報を前記表示手段に表示させる第２の表示制御手段と、前記入力手段によって入力された入力情報を外部に送信する送信手段と、前記第２の表示制御手段によって前記表示手段に表示された入力情報が改行マークと句点と署名との少なくとも一つであるときに、前記入力情報を前記送信手段に送信させるための送信マークを前記表示手段に表示させる第３の表示制御手段と、前記視線検出手段によって操作者の視線位置が前記送信マーク上にあることが検出されると、前記送信手段による前記入力情報の送信を開始させる送信制御手段と、を備えることを特徴とする。
請求項２の発明は、視線入力機能を備えた文書作成装置であって、表示手段と、入力候補としての文字および記号を含む複数の単位情報を前記表示手段に一覧表示させる第１の表示制御手段と、前記表示手段上の操作者の視線位置を検出する視線検出手段と、操作者の視線位置に基づいて、一覧表示された前記複数の単位情報から所定の単位情報を入力情報として入力する入力手段と、前記入力情報を前記表示手段に表示させる第２の表示制御手段と、前記入力手段によって入力された入力情報を保存する保存手段と、前記第２の表示制御手段によって前記表示手段に表示された入力情報が改行マークと句点との少なくとも一つであるときに、前記入力情報を前記保存手段に保存するための保存マークを前記表示手段に表示させる第３の表示制御手段と、前記視線検出手段によって操作者の視線位置が前記保存マーク上にあることが検出されると、前記保存手段への前記入力情報の保存を開始させる制御手段と、を備えることを特徴とする。
【発明の効果】
【０００６】
本発明の請求項１の文書作成装置によれば、表示手段に表示された入力情報が改行マークと句点と署名との少なくとも一つであるときに、自動的に送信マークが表示されるので、容易且つ迅速に作成文書の送信動作に移行することができる。
本発明の請求項２の文書作成装置によれば、表示手段に表示された入力情報が改行マークと句点との少なくとも一つであるときに、自動的に保存マークが表示されるので、容易且つ迅速に作成文書の保存動作に移行することができる。
【図面の簡単な説明】
【０００７】
【図１】本発明の第１の実施の形態に係る文書作成装置の外観を模式的に示す図である。
【図２】図１の文書作成装置に表示する文字や記号の例を拡大して示す図である。
【図３】本発明の第１の実施の形態に係る文書作成装置の主要部の構成を示すブロック図である。
【図４】本発明の第２の実施の形態に係る文書作成装置の外観を模式的に示す図である。
【図５】本発明の第２の実施の形態に係る文書作成装置の主要部の構成を示すブロック図である。
【発明を実施するための形態】
【０００８】
−第１の実施の形態−
以下、本発明の第１の実施の形態による文書作成装置の構成について、図面を参照しながら説明する。第１の実施の形態の文書作成装置は、視線入力を用いて作成した文書を電子メールで送信するものである。
【０００９】
図１を参照すると、文書作成装置１００は、筐体１と、この筐体１に取り付けられたディスプレイ２とを有し、ディスプレイ２は、その画面を二分割して、一方の画面が一覧表示部１０であり、他方の画面が入力情報表示部２０である。一覧表示部１０は、入力候補としての複数の単位情報１１を一覧表示する画面である。
【００１０】
一覧表示部１０にマトリックス状に配列された単位情報１１は、図示はしていないが、文字や記号である。例えば、５０音の平仮名文字、２６個の英字、０〜９の数字などの文字であり、または、句点、ピリオド、改行マーク、漢字変換マークなどの記号である。これらの単位情報１１、すなわち文字や記号はそれぞれ、円形で示す表示枠１２の内に表示される。
【００１１】
図２は、一覧表示部１０上に一覧表示される単位情報１１の例を拡大して示す図であり、例えば、単位情報「あ」１１ａ、単位情報「改行マーク」１１ｂ、単位情報「。」（句点）１１ｃ、単位情報「漢字変換マーク」１１ｄがそれぞれ表示枠１２の内に表示される。なお、表示枠１２の形状は円形に限らず、矩形でもよい。
【００１２】
以下の説明では、一覧表示される単位情報１１は、５０音の平仮名が表示されているものとする。
図１を再び参照すると、入力情報表示部２０は、入力候補としての複数の単位情報１１の中から選択され、入力された単位情報（以下、入力単位情報と呼ぶ）を順次表示する画面である。入力情報表示部２０上に配列された入力単位情報２１は、例えば図示のように、「ありがとう。」の５つの平仮名文字と句点である。
【００１３】
筐体１には、ディスプレイ２の他に、視線検出用のカメラ３０及び操作部４０が取り付けられている。
視線検出用カメラ３０は、筐体１の上側に配設されており、一覧表示部１０或いは入力情報表示部２０を見つめて入力動作を行う操作者の眼を撮影する。なお、視線検出用カメラ３０の配設位置は、筐体１の上側に限らず、筐体１の右側、左側又は下側でもよい。また、視線検出用カメラ３０の台数は複数でもよい。
【００１４】
操作部４０は、筐体１の右下に配設されており、文書作成装置１００へ各種の情報を入力するために操作者によって操作される部材である。操作部４０による操作の具体例としては、一覧表示部１０或いは入力情報表示部２０上に表示される文字や記号の大きさを設定したり、表示可能な文字数を設定したり、一覧表示部１０上に一覧表示される５０音の平仮名と２６文字のアルファベットとを切り換える、すなわち、平仮名モードとアルファベットモードとを切り換えることが挙げられる。
【００１５】
図３のブロック図を参照しながら、各ブロックの機能を説明する。文書作成装置１００は、前述した一覧表示部１０、入力情報表示部２０、視線検出用カメラ３０及び操作部４０に加えて、通信部５０及び制御部６０を備える。一覧表示部１０、入力情報表示部２０、視線検出用カメラ３０、操作部４０及び通信部５０はそれぞれ、制御部６０と電気的に接続されている。
【００１６】
通信部５０は、不図示のＲＡＭに一時的に記憶された各種の情報を外部機器へ送信し、また、外部機器からの各種の情報を受信する。
制御部６０は、視線検出部６１、入力部６２、表示制御部６３及び通信制御部６４を有し、一覧表示部１０、入力情報表示部２０、視線検出用カメラ３０、操作部４０、通信部５０の各ブロックとの間で電気信号或いはデータの授受を行うことにより、各種の演算や、不図示のＲＯＭに記憶されているプログラムを実行する。
【００１７】
視線検出部６１は、視線検出用カメラ３０と協働して一覧表示部１０上または入力情報表示部２０上の操作者の視線位置を検出する。視線検出部６１は、視線検出用カメラ３０によって撮影された眼の画像データを解析することによって、操作者の視線方向、言い換えれば、一覧表示部１０上の操作者の視線位置、及び入力情報表示部２０上の操作者の視線位置を検出することができる。
【００１８】
一覧表示部１０上に一覧表示された文字や記号などの単位情報１１は、それぞれ所定の表示領域（単に、領域ともいう）を有する。このような表示領域は、図２における単位情報１１ａ〜１１ｄの各表示枠１２に相当する。従って、視線検出部６１によって操作者の視線位置がどの表示領域、換言すればどの表示枠内に存在するかを検出して、視線位置が存在する領域の単位情報１１を選択する仕組みになっている。このように表示枠１２内の視線位置を検出することで当該表示枠１２内の単位情報１１を選択することができる。
【００１９】
入力部６２は、視線検出部６１によって検出された単位情報１１を入力単位情報２１として不図示のメモリに入力する。入力単位情報２１は、一覧表示された文字や記号などの単位情報１１の他に、単位情報１１の入力後に、漢字変換マークを注視することにより変換された漢字も含まれる。
【００２０】
入力部６２が、入力単位情報２１として改行マーク、句点、署名のいずれかを入力すると、表示制御部６３は、入力情報表示部２０上において入力単位情報２１の末尾に送信マーク２２を表示させる。送信マーク２２は矩形の表示枠２３内に表示される。ここで、署名とは、制御部６０に予め登録された人名であり、平仮名または漢字で表現される。
【００２１】
表示制御部６３は、次の３通りの表示制御を行う。
第１の制御は、操作部４０からの指示信号に基づいて、入力候補としての複数の単位情報１１を一覧表示部１０上に一覧表示させることである。
第２の制御は、入力部６２により入力された入力単位情報２１を入力情報表示部２０上に表示させることである。
【００２２】
第３の制御は、入力単位情報２１を外部に送信するための送信マーク２２を入力情報表示部２０上に表示させることである。
この送信マーク２２は、上述のように、矩形の表示枠２３の中に表示され、この表示枠２３内、すなわち表示領域内を操作者が注視することにより視線入力が可能である。
【００２３】
通信制御部６４は、送信マーク２２が視線入力されると通信部５０を起動し、通信部５０に対して、入力された入力単位情報２１を外部機器へ送信することを開始させる。
【００２４】
図１〜３を参照しながら、単位情報１１の視線入力から入力情報の送信までの動作を説明する。この動作の開始時には、操作者によって操作部４０が操作され、平仮名モードが選択され、一覧表示部１０上に５０音の平仮名、数字、記号が一覧表示されているものとする。
【００２５】
一覧表示部１０上に一覧表示された単位情報である平仮名文字「あ」を操作者が注視すると、視線検出用カメラ３０は、操作者の眼を撮影し、視線検出部６１は、視線検出用カメラ３０からの画像データに基づいて一覧表示部１０上の操作者の視線位置がどの領域に存在するかを検出する。視線検出部６１が、視線位置が文字「あ」の表示枠１２内にあることを検出すると、その検出データを入力部６２へ出力する。
入力部６２は、視線検出部６１によって検出された検出データに基づいて文字「あ」を入力単位情報２１として不図示のメモリに入力すると共に、文字「あ」のデータを表示制御部６３へ出力する。表示制御部６３は、文字「あ」を入力情報表示部２０上に表示させる。
【００２６】
このような動作を繰り返して、一覧表示された単位情報１１から文字「あ」、「り」、「が」、「と」、「う」が順次、注視により選択されると、図１に示されるように、入力情報表示部２０上に「ありがとう」の５つの平仮名文字が表示される。また、「ありがとう」を入力後に単位情報の一つである「漢字変換マーク」１１ｄの視線入力が行われると、「有難う」のように漢字変換された文字が入力情報表示部２０上に表示される。このような漢字変換された「有」、「難」も入力単位情報２１である。
【００２７】
その後、操作者が一覧表示された単位情報１１の句点「。」を注視すると、視線検出部６１は、視線検出用カメラ３０からの画像データに基づいて一覧表示部１０上の操作者の視線位置が句点「。」の表示枠１２内にあることを検出する。入力部６２は、視線検出部６１によって検出された検出データに基づいて句点「。」を入力単位情報２１として不図示のメモリに入力する。表示制御部６３は、図１に示されるように、入力情報表示部２０上に句点「。」を表示させると共に、送信すべき文章「ありがとう。」の末尾に送信マーク２２を表示させる。
【００２８】
操作者が送信マーク２２を注視すると、上述した単位情報１１の視線入力動作と同様に、入力部６２は、視線検出部６１からの検出データに基づいて、送信マーク２２のデータを不図示のメモリに入力すると共に、送信指示信号を通信制御部６４へ出力する。なお、操作者が送信マーク２２を注視し、且つ、視線検出部６１が眼の瞬きを検出したときに、上述した送信指示信号を通信制御部６４へ出力してもよい。
【００２９】
通信制御部６４は、その送信指示信号に応じて通信部５０を起動し、通信部５０に対して、入力単位情報２１を外部機器へ送信することを開始させる。
【００３０】
なお、表示制御部６３が送信マーク２２及び表示枠２３を表示させても、操作者が送信マーク２２を注視することなく所定時間が経過した時は、表示制御部６３は送信マーク２２及び表示枠２３を消去する。その後、操作者が直ちに一覧表示された単位情報１１から改行マークを注視してそれを選択すると、入力情報表示部２０上に改行マークが表示されると共に、末尾に送信マーク２２及び表示枠２３が表示される。
【００３１】
ここで、操作者が送信マーク２２を注視すると、入力単位情報２１の送信が行われ、操作者が所定時間の間送信マーク２２を注視しなければ、上述のように送信マーク２２及び表示枠２３が消える。その後、操作者が視線入力を再開し、上述のような動作を繰り返した後に、入力された文章の文末に署名を視線入力すると、表示制御部６３は、入力情報表示部２０上にその署名を表示させると共に、その末尾に送信マーク２２及び表示枠２３を表示させる。操作者が送信マーク２２を注視すると、通信制御部６４は、その文章（送信文）を送信させる。
【００３２】
今、操作者が送信マーク２２を注視し、通信制御部６４が通信部５０を起動した時に、送信先の宛名が確定していない場合は、表示制御部６３は一覧表示されている単位情報１１を消して送信先を選択決定するための宛名リストを一覧表示部１０上に表示させる。操作者は、その宛名リストから送信先を視線入力により選択することができる。
【００３３】
操作者が平仮名モードからアルファベットモードへ切り換えると、一覧表示部１０上には２６文字のアルファベット、数字、記号が単位情報１１として一覧表示される。アルファベットモードで英文を作成する場合は、入力情報表示部２０上には入力単位情報２１としてアルファベットが表示される。アルファベットモードでは、入力部６２は、視線検出部６１によって検出された検出データに基づいて入力単位情報２１として改行マーク、ピリオド、署名としてのサインのうちの１つを不図示のメモリに入力し、表示制御部６３は、その入力単位情報２１を表示させると共に、その末尾に送信マーク２２及び表示枠２３を表示させる。その他の動作は平仮名モードの場合と同様である。なお、アルファベットモードでは、送信マーク２２の文字はアルファベットで表示する。
【００３４】
第１の実施の形態の文書作成装置１００は、次の作用効果を奏する。
（１）入力情報として改行マーク、句点、署名のうちの１つが視線入力されたときに、表示制御部６３は送信マーク２２を表示させ、この送信マーク２２を注視する視線入力を行うと通信制御部６４が通信部５０を介して入力情報を外部機器へ送信するので、容易且つ迅速に送信動作を開始することができる。
【００３５】
（２）送信マーク２２は、一覧表示部１０や入力情報表示部２０に常時表示されているものではなく、改行マーク、句点、署名のうちの１つが視線入力されたときのみ表示されるので、その分だけディスプレイ２の表示スペースを有効に利用することができる。また、常時表示されている送信マーク２２を誤って注視したためにメールが送信されてしまうという不具合がない。
（３）操作者が送信文が正しく入力されたか否かを確認する際に、送信マーク２２が、改行マーク、句点または署名の末尾に表示されるので、視線移動距離を短くすることができる。
【００３６】
以下、第１の実施の形態の変形例を説明する。
（１）本実施の形態では、改行マーク、句点、署名のうちの１つが視線入力されたときに、表示制御部６３は、送信マーク２２を表示させるが、送信マーク２２を表示させるための単位情報１１として改行マーク、句点、署名以外のものを用いてもよい。例えば、挨拶の慣用語である「さようなら」、「敬具」などを用いてもよい。
【００３７】
（２）本実施の形態では、送信マーク２２を表示する位置は、改行マーク、句点または署名の末尾であったが、改行マーク、句点または署名に隣接する場所であれば、末尾に限らず、上下左右斜めのいずれでもよい。
【００３８】
（３）本実施の形態では、ディスプレイ２の画面を分割して一覧表示部１０と入力情報表示部２０とを設けていたが、一覧表示部１０と入力情報表示部２０を別個の２つのディスプレイに設けてもよい。
【００３９】
（４）一覧表示部１０は、入力候補としての複数の単位情報を表示するが、これらの複数の単位情報をすべて画面上に表示してもよいし、操作部４０によりスクロールさせて表示してもよい。一覧表示の態様、例えば平仮名を一覧表示部１０の画面にどの位の大きさで何文字表示するかは、予め設定されているが、操作者による操作部４０の入力操作により変更することも可能である。
【００４０】
（５）本実施の形態では、改行マーク、句点、署名のうちの１つが視線入力されたときに、送信マーク２２が表示されたが、句点だけでは表示させず、句点と改行マークの組合せで送信マーク２２を表示させるようにしてもよいし、更には句点と改行マークと署名の組合せで送信マーク２２を表示させるようにしてもよい。
【００４１】
（６）操作者が送信マーク２２を注視しても、宛名が確定していない場合は、表示制御部６３は、入力情報表示部２０上に視線入力のための「宛名マーク」を表示させ、操作者が宛名マークを注視することにより、送信先を選択決定するための宛名リストを一覧表示部１０上に表示させるようにしてもよい。
【００４２】
−第２の実施の形態−
第２の実施の形態の文書作成装置は、視線入力を用いて作成した文書を記憶部に保存するものである。
第１の実施の形態では、文書作成装置１００が通信制御部６４、通信部５０を備え、入力情報として改行マーク、句点、署名のうちの１つが視線入力されたときに送信マーク２２を表示させ、この送信マーク２２が視線入力されると入力情報を外部機器へ送信するように構成されていた。これに対し、第２の実施の形態の文書作成装置は、記憶制御部、記憶部を備え、入力情報として改行マーク、句点のうちの１つが視線入力されたときに保存マークを表示させ、この保存マークが視線入力されると入力情報を記憶部へ保存するように構成されるものである。
【００４３】
以下、図４及び図５を参照しながら、文書作成装置２００が文書作成装置１００と異なる点を取り上げて説明する。なお、図４及び図５において、図１〜図３と共通する構成部品、表示内容には同一の符号を付し、説明を省略する。
【００４４】
第１の相違点は、第１の実施の形態の文書作成装置１００が、通信制御部６４、通信部５０を備えるのに対し、第２の実施の形態の文書作成装置２００は、記憶制御部６５、記憶部７０を備える点である。
記憶制御部６５は、制御部６０Ａに含まれ、記憶部７０のデータ保存動作を開始させる。記憶部７０は、不図示のＲＡＭに一時的に記憶された各種の情報を、例えばメモリカードに記憶する。
【００４５】
第２の相違点は、文書作成装置１００では、入力情報として改行マーク、句点、署名のうちの１つが視線入力されたときに送信マーク２２及び表示枠２３を表示させるが、文書作成装置２００では、入力情報として改行マーク、句点のうちの１つが視線入力されたときに保存マーク２４及び表示枠２５を表示させる点である。
【００４６】
平仮名モードにおいて、視線検出部６１が操作者の視線位置を検出し、入力部６２が視線検出部６１からの検出データに基づいて入力すべき単位情報１１を入力単位情報２１として不図示のメモリに入力し、表示制御部６３が入力単位情報２１を入力情報表示部２０上に表示させる動作は、文書作成装置２００も文書作成装置１００と同様である。続いて、文書作成装置２００は、入力単位情報２１として、改行マーク、句点のうちの１つが視線入力されたときには、図４に示されるように、保存マーク２４及び矩形の表示枠２５を表示させる。
【００４７】
保存マーク２４は、矩形の表示枠２５の中に表示され、一覧表示されている単位情報１１と同様に、所定の表示領域を有している。この保存マーク２４も、送信マーク２２と同様、その表示領域を操作者が注視することにより視線入力が可能である。従って、操作者が保存マーク２４を注視すると、入力部６２は、保存指示信号を記憶制御部６５へ出力する。なお、操作者が保存マーク２４を注視し、且つ、視線検出部６１が眼の瞬きを検出したときに、上述した保存指示信号を記憶制御部６５へ出力してもよい。
【００４８】
記憶制御部６５は、その保存指示信号に応じて記憶部７０に対して、入力された入力単位情報２１の保存を実行させる。記憶部７０は、その入力単位情報２１を保存する。
【００４９】
第２の実施の形態の文書作成装置２００は、次の作用効果を奏する。
（１）入力情報として改行マーク、句点のうちの１つが視線入力されたときに、表示制御部６３は保存マーク２４を表示させ、この保存マーク２４を注視する視線入力を行うと記憶制御部６５が記憶部７０に対して入力情報を記憶させるので、容易且つ迅速に保存動作を行うことができる。
【００５０】
（２）保存マーク２４は、一覧表示部１０や入力情報表示部２０に常時表示されているものではなく、改行マーク、句点のうちの１つが視線入力されたときのみ表示されるので、その分だけディスプレイ２の表示スペースを有効に利用することができる。また、常時表示されている保存マーク２４を誤って注視したために文章の作成途中で文章が保存されてしまうという不具合がない。
（３）操作者が文章が正しく入力されたか否かを確認する際に、保存マーク２４が、改行マークまたは句点の末尾に表示されるので、視線移動距離を短くすることができる。
【００５１】
以下、第２の実施の形態の変形例を説明する。
（１）本実施の形態では、改行マーク、句点のうちの１つが視線入力されたときに、表示制御部６３は、保存マーク２４を表示させるが、保存マーク２４を表示させるための文字または記号として改行マーク、句点以外のものを用いてもよい。例えば、英文ならば、ピリオドやクエスチョンマークを用いてもよい。
【００５２】
（２）本実施の形態では、保存マーク２４を表示する位置は、改行マークまたは句点の末尾であったが、改行マークまたは句点に隣接する場所であれば、末尾に限らず、上下左右斜めのいずれでもよい。
【００５３】
（３）本実施の形態では、ディスプレイ２の画面を分割して一覧表示部１０と入力情報表示部２０とを設けていたが、一覧表示部１０と入力情報表示部２０を別個の２つのディスプレイに設けてもよい。
【００５４】
（４）一覧表示部１０は、入力候補としての複数の単位情報を表示するが、これらの複数の単位情報をすべて画面上に表示してもよいし、操作部４０によりスクロールさせて表示してもよい。一覧表示の態様、例えば平仮名を一覧表示部１０の画面にどの位の大きさで何文字表示するかは、予め設定されているが、操作者による操作部４０の入力操作により変更することも可能である。
（５）本実施の形態では、改行マーク、句点のうちの１つが視線入力されたときに、保存マーク２４が表示されたが、句点だけでは表示させず、句点と改行マークの組合せで保存マーク２４を表示させるようにしてもよい。
【００５５】
第１、第２の実施の形態による文書作成装置１００、２００は、単独でも使用できるが、携帯端末やパソコンなどに搭載することもできる。
本発明は、その特徴を損なわない限り、以上説明した実施の形態に何ら限定されるものではない。
【符号の説明】
【００５６】
１：筐体                            ２：ディスプレイ
１０：一覧表示部                    ２０：入力情報表示部
３０：視線検出用カメラ              ４０：操作部
５０：通信部                        ６０、６０Ａ：制御部
６１：視線検出部                    ６２：入力部
６３：表示制御部                    ６４：通信制御部
６５：記憶制御部                    ７０：記憶部
１００、２００：文書作成装置
【図１】
2014146117.tif 000003
【図２】
2014146117.tif 000004
【図３】
2014146117.tif 000005
【図４】
2014146117.tif 000006
【図５】
2014146117.tif 000007